Podtech/llm-jp-corpus-v4-ja_patent huggingface dataset:
(57)【要約】      （修正有）【課題】大型の生ごみ処理装置の発酵タンクは機械的な攪拌が出来ないため温度分布が均等にならず、温度の低い周辺部の発酵速度が遅い欠点を改善する装置を提供する。【解決手段】生ごみ処理装置の発酵タンク１内に伝熱特性に優れるヒートパイプ２を発酵タンクの内壁と内空間に取り付けて温度分布の改善を図るとともに、発酵熱をヒートパイプにより採熱し、これを貯湯タンク３の給湯に利用して微生物の発酵速度を改善し、生ごみ処理装置全体の処理能力を高める。【選択図】図３
2009160511.tif 000002
【特許請求の範囲】
【請求項１】
内部に温度分布改善用のヒートパイプを取り付けた生ゴミ処理用発酵タンク
【請求項２】
生ゴミ処理用発酵タンク内の発酵熱をヒートパイプにより、発酵熱を採取し、これを利用して給湯を行う生ゴミ処理用発酵タンク
【発明の詳細な説明】
【技術分野】
【０００１】この発明は生ゴミ処理用発酵タンクに関するものである。
【背景技術】
【０００２】微生物発酵による生ゴミ処理装置は従来の焼却方式に比べて二酸化炭素の排出量が少なく近年注目されている。生ゴミ処理装置は大型にした場合、臭気の発生が問題であったがこれを臭気分解特性に優れた微生物により対応する方式が実用化された。
【発明の開示】
【発明が解決しようとする課題】
【０００３】  前述の大型の微生物発酵による生ごみ処理装置の発酵タンクはステンレス製などで直径約５ｍになる。発酵タンクが大容量のため機械的な攪拌は設備コストが高く、機械稼働に要する電気エネルギーコストも高く、攪拌装置の採用は困難である。この結果、タンク内の生ごみの温度分布に大きな温度差が生ずる。温度の低い周辺部は発酵速度が遅くなる。下部の温度の高い生ごみから発生する水蒸気が上昇してタンクの天井に触れて露頭減少が生じ、ここで発生した水の排出口の詰まりなどの問題を生ずる。酒の醸造などの発酵タンクはやはり５ｍ程度の大型タンクであるが内部の発酵食材は流動体であり、容易に人手で攪拌することが出来るので温度分布のムラを防止出来る。一方、生ごみは流動体ではなく巨大なタンクの場合、攪拌はコスト高となる。この意味から生ゴミの温度分布を改善する対策が望まれていた。
【課題を解決するための手段】
【０００４】本発明はヒートパイプを発酵タンクに取り付けて温度分布を改善するものである。
【発明の効果】
【０００５】前期発酵タンク内の生ゴミの温度は発酵段階によって上限が７５℃から９５℃に達する。温度の低い部分との温度差は数十度にもなる。ヒートパイプは伝熱特性に優れ、一端を温度の高い部分に差し込み、一端を温度の低い部分に差し込むと瞬時に伝熱を開始し、温度差を数度単位までに均等化できる。このヒートパイプを取り付けることによってタンク内の生ごみの温度の高い部分から温度の低い部分へ伝熱することにより、従来方式に比べて大幅な温度分布の均等化が可能になる。その結果、微生物による発酵速度が改善され、生ゴミ処理装置全体の処理能力の改善が可能となる。
【発明を達成するための最良の形態】
【０００６】本発明の構成を図によって説明する。図１は本発明のタンク内壁にヒートパイプを取り付けた構成を示すもので、発酵タンク１は生ゴミを供給する供給口１−１、タンク本体１−２、生ゴミをスクリュウコンベアにより排出する搬出部１−３、臭気を微生物により消臭するタンクへ配管に連絡する排気部１−４、ヒートパイプ２の取り付け用としての支持部１−５、ヒートパイプ２で構成される。このタンク本体１−２の内壁にヒートパイプ２を取り付ける。ヒートパイプ２はタンク本体と同じ材質のステンレスが望ましい。銅製ヒートパイプは生ごみの成分による酸化腐食が起こり、銅イオンの殺菌作用が微生物の発酵に悪影響を及ぼすのでメッキ等の対策が必要になる。図のように内壁の周囲に複数のヒートパイプを取り付け、下部の支持部１−５により曲げて生ごみの中心部まで伸ばして取り付ける。下部の支持部１−５はヒートパイプ２を固定する構造体で、桟状に構成し、隙間から生ごみが容易に下部に移動出来るものである。図２はタンク本体１−２の内部に仕切り支持部１−６を取り付け、これにヒートパイプ２を取り付ける構成である。仕切り支持部１−６は発酵タンク１の内部を分割する仕切り板である。図２は４分割した場合の断面図である。このヒートパイプ２は図のように生ゴミの温度の高い深部から斜めに這い上がる構成とし、温度分布の均質化を図るものである。図３は変形例として発酵熱を取り出して温水利用を行うものである。ヒートパイプ２より採熱した熱エネルギーをフイン２−１を取り付けたヒートパイプ２により伝熱し、断熱材３−１で覆った貯湯タンク３の中で温水を作る。給水管３−２で供給した水を加温し、給湯管３−３により給湯する。ゴミの発酵熱を採取する際、ヒートパイプを使用することで、発酵熱の伝熱が単純なパイプ形状で容易に伝熱することが出来る。
【図面の簡単な説明】
【０００７】
【図１】  本発明の実施例の形態に従った一実施例の断面図である。
【図２】  本発明の実施例の形態に従った一実施例の断面図である。
【図３】  本発明の実施例の形態に従った一実施例の断面図である。
【符号の説明】
１：発酵タンク
１−１：供給口
１−２：タンク本体
１−３：搬出部
１−４：排気部
１−５：支持部
１−６：仕切り支持部
２：ヒートパイプ
２−１：フイン
３：貯湯タンク
３−１：断熱材
３−２：給水管
３−３：給湯管
【図１】
2009160511.tif 000003
【図２】
2009160511.tif 000004
【図３】
2009160511.tif 000005
(57)【要約】【課題】  本発明は、イスの上に器具を乗せ使用者が腰をおろし、骨盤を固定して上体を左右に回旋させる時に負荷が加わり、腹筋の回旋運動を行うことができる構造で、かつ、その機構を簡素化かつ軽量化した運動器具を提供する。【解決手段】  下部の座イス部分に固定した径の小さなパイプ管を、背中上部のパッド部分に固定した径の大きなパイプ管に挿入し、連結部分に締め具を付け、使用者が締め具を調節し適度な締まり具合にして上体を左右に回旋することに力が必要な状態とする。座イス部分および背中上部のパッド部分にはクッション材および固定用のバンドを取り付け、身体と器具を固定できる構造とする。座イス部分のパイプ管は左右に振れるようにし、また、座イス部分は腰をおろす部分と背もたれ部分を蝶番等により連結し前傾および後傾できる構造とした。【選択図】図１
2009160351.tif 000002
【特許請求の範囲】
【請求項１】
下部の座イス部分に固定した径の小さなパイプ管を、背中上部のパッド部分に固定した径の大きなパイプ管に挿入し、連結部分に締め具を付け、使用者が締め具を調節し適度な締まり具合にして上体を左右に回旋することに力が必要な状態とし、さらに、座イス部分および背中上部のパッド部分にはクッション材および固定用のバンドを取り付け、身体と器具を固定できる構造とし、また、座イス部分のパイプ管は左右に振れるようにし、座イス部分は腰をおろす部分と背もたれ部分を蝶番等で連結し前傾および後傾できる構造とする運動器具。
【発明の詳細な説明】
【技術分野】
【０００１】  本発明は、上体を左右に回旋させる運動する時に、負荷を加えた状態で行えるように補助する運動器具に関し、詳しくは、使用者がイスに腰をおろし、骨盤を固定して上体を左右に回旋させる時に負荷を加えた腹筋の回旋運動が行える構造で、かつ、その機構を簡素化かつ軽量化して手軽に腹筋の回旋運動を行えるようにする運動器具に関するものである。
【背景技術】
【０００２】  従来、上体の回旋運動を補助する器具はなかった。似たものでは、設置したグリップを握り上体を固定して、床に設置した円盤型の回転盤の上に直立し、または回転盤の上に置いたイスに座り、腰を左右交互に回旋させるものがあった。
【発明の開示】
【発明が解決しようとする課題】
【０００３】  従来の器具は、次のような問題点があった。
腰を左右に回旋させる時に負荷が加わることはなく、腹筋を効果的に鍛えることはできなかった。また、器具が大掛かりで、自宅で手軽に腹筋の回旋運動ができるものではなかった。
本発明は、以上の問題点を解決したものである。
【課題を解決するための手段】
【０００４】  本発明においては、下部の座イス部分に固定した径の小さなパイプ管を、背中上部のパッド部分に固定した径の大きなパイプ管に挿入し、連結部分に締め具を付け、使用者が締め具を調節し適度な締まり具合にして上体を左右に回旋することに力が必要な状態とする。座イス部分および背中上部のパッド部分にはクッション材および固定用のバンドを取り付け、身体と器具を固定できる構造とする。座イス部分のパイプ管は左右に振れるようにし、また、座イス部分は腰をおろす部分と背もたれ部分を蝶番等で連結し、前傾および後傾できる構造とした。
以上のような構成からなる運動器具である。
【発明の効果】
【０００５】  したがって、使用者は自らの体力に合わせて負荷を調節して上体の回旋運動ができ、効果的に腹筋を鍛えることができる。また、座イス部分およびパイプ管が前後左右に傾くので運動時に器具に対して過度の偏った力が加わることがなく、器具の破損を防ぐことができる。さらに、器具をコンパクトかつ軽量化しているため、収納に便利で、手軽に使うことができる。
【発明を実施するための最良の形態】
【０００６】  以下、本発明の実施の形態について説明する。
（イ）下部の座イス部分（１）は、金属で補強  した二枚のプラスチック板（２）を蝶番      （３）でつなぎ、一方の板にステンレスパイプ管（４）を金具（５）で固定した状      態とする。プラスチック板にはナイロンベルト（６）およびクッション（７）を設      ける。
（ロ）背中上部のパッド部分（８）は、金属で補強  したプラスチック板（９）に上記ス      テンレスパイプよりも径のやや大きな配管用のプラスチック管（１０）を金具（１      １）で固定した状態とする。プラスチック管の先端には縦に切り込み（１２）を入      れる。プラスチック板にはナイロンベルト（１３）およびクッション（１４）を設      ける。
（ハ）上記のステンレスパイプ管をプラスチック管に挿入し、プラスチック管の切り込み      を入れた部分に金属製の締め具（１５）を装着する。
本発明は、以上のような構成からなる運動器具である。以下、使用方法について説明する。
イスの上に器具を置き、使用者は器具の座イス部分（１）に腰を掛け座イス部分のベルト（６）および背中上部のパッド部分のベルト（１３）を調節して身体に固定する。締め具（１５）のバルブ（１６）を回し、締め具合を調節する。骨盤を常に固定した状態で、上体を左右交互に回旋する運動を繰り返す。
【図面の簡単な説明】
【０００７】
【図１】本発明の使用説明図
【図２】本発明の斜視図
【符号の説明】
【０００８】  １は下部の座イス部分
２はプラスチック板
３は蝶番
４はステンレスパイプ管
５は金具
６はナイロンベルト
７はクッション
８は背中上部のパット部分
９はプラスチック板
１０はプラスチック管
１１は金具
１２は切り込み
１３はナイロンベルト
１４はクッション
１５は締め具
１６はバルブ
【図１】
2009160351.tif 000003
【図２】
2009160351.tif 000004
(57)【要約】      （修正有）【課題】安価で軽量な無段階角度調整装置を提供すること。【解決手段】固定部１と固定部１に枢支された傾動部２と、傾動部２と固定部１の間に挟持された楔３と楔３の運動を、傾動部２の回転軸に垂直な面と交差する方向に規制する案内とからなり、傾動部２を前に浮かせて、契３を左右に移動させる、契３をほかの位置に移動させると傾動部２は水平線に対して角度ｋが変化する。また、楔３あるいは案内の契当接面に軟材弾性材のライナーを装着した。【選択図】図１
2009160356.tif 000002
【特許請求の範囲】
【請求項１】
固定部と固定部に枢支された傾動部と固定部の間に挟持された楔と楔の運動を、傾動部の回転軸に垂直な面と交差する方向に規制する案内とからなる無段階角度調整装置。
【請求項２】
楔あるいは案内または案内溝の契当接面に軟材弾性材のライナーを装着したことを特徴とする請求項１の無段階角度調整装置。
【発明の詳細な説明】
【技術分野】
【０００１】  本発明は、角度を無段階に調整できる装置に関する。
【技術背景】
【０００２】  角度を無段階に調整できる構造はガスプリング又は電気モーターを使用するものが一般的である。
【発明が解決しようとする課題】
【０００３】  角度を無段階に調整できる装置にはガスプリングがある。この装置は角度を調整したあと、その角度をガススプリングの力でロックする構造である。また電気モーター式は電気モーターの駆動により角度を調整するものである。いずれも高価であり、重量は思く耐用年数は短い。この発明はこのようなことに鑑みて発明されたものである。
【０００４】  上記目的を達成するために，本発明の角度無段階調整装置は固定部と固定部に枢支された傾動部と固定部の間に挟持された楔と楔の運動を、傾動部の回転軸に垂直な面と交差する方向に規制する案内とからなる無段階角度調整装置としたものである。
【０００５】  楔あるいは案内または案内溝の契当接面に軟材弾性材のライナーを装着したことを特徴としたものである。
【発明を実施するための最良の形態】（発明の実施の形態１）【０００６】  図１〜５は本発明の実施例に掛るベッドを示す図であり、以下これらの図を参照して説明する。【０００７】  図１において、１は固定部、２は傾動部、３は楔である。契の傾斜部を４、傾斜部の下端を４ａ、傾斜部の上端を４ｂとする。５は契移動範囲規制の穴であり、６は座板、７は位置規制用のビスである。８は座のクッション、９は背のクッションである。【０００８】    図２はこの椅子の外観の斜視図である。【０００９】  図３において、傾動部２に過重Ｆ１が加わると、契３には外側の方向に契を押し出す力Ｆ２が発生し契は外側に移行しとうとする。同時にｆ１の過重の分力で契の溝の４ｃには溝の下端方向の力ｆ３発生しこの力で滑り摩擦抵抗Ｆ３ａが発生する。同時にｆ１の過重の分力で契の溝の４ｄには溝の後ろ方向の力ｆ４が発生し、滑り摩擦抵抗Ｆ４ａが発生する。ｆ３ａとｆ４ａはいずれもｆ２と反対方向であるので、滑り摩擦抵抗ｆ３ａ＋ｆ４ａがｆ２より大きければ契はその位置でとどまり椅子の角度はこの位置で固定される。【００１０】  滑り摩擦抵抗は溝の壁または傾動部２に固着した硬質のゴムで発生させる。この部分が滑らかな状態であると滑り摩擦抵抗がセロであるので、契に働く力はｆ２のみであるので、契は外側に移行してしまい、傾動部２が動いて角度を調整することは出来ない。滑り摩擦抵抗は溝の下側に固着しているライナー１０と、溝の裏側に固着しているライナー１１がその役目を果たす。【００１１】  角度を移動させるには、傾動部２を前に浮かせて、契３を左右に移動させる、契３をほかの位置に移動させると傾動部２は水平線に対して角度ｋが変化する。すなわち思いのままの角度を選べばよい。変更した角度で傾動部２に過重を加えると前項の作用がはたらいて、契は固定する。【００１２】  ｆ３ａ＋ｆ４ａがｆ２より大きくないとこの無段階調整構造は構成できない。よってｆ３ａ、ｆ４ａを大きくすることが重要となる。これを左右するものは接触する溝の固着させる材質、接触する溝の面積、４が水平線となす角度である。【００１３】  ライナー材は、硬質のゴムタイルが有効である、又接触面積が広いほど滑り摩擦抵抗を大きく出来る。（３ｘ１０ｘ１００ｍｍのゴムタイル）。接触する溝の面積は大きいほど摩擦抵抗を大きくすることが出来る。線４が水平線となす角度は低いほど摩擦抵抗を大きくすることが出来る。【００１４】  この無段階調整装置は契と傾動部が接する部分のみが磨耗の対象となる。他の部材は接点はないので故障の割合いは構造はガスプリング又は電気モーターを使用する構造に比べて格段に低い。
角度の下端と上端では契移動にたいする滑り摩擦抵抗は異なる。  図４に角度が低い場合と高い場合のこの装置を示す。上側が角度が大きい場合で下側は角度が低い場合である。【００１５】  図５には背の角度の大きさに対するｆ２、ｆ３、ｆ４の力の大きさを示す。これらの力の大きさと摩擦抵抗の度合いを考慮して装置を構成する必要がある。【００１６】  図６において契は左右の動かすことが出来るが、４ａから４ｂ以外の範囲では無意味である。よって固定部１にあいている穴にビス７を勘合してそのビスの先端を契の穴５に入れると、契は一定の範囲しか移動できなくなる。この構造で契は無用な動きをすることはない。【００１７】  契の傾斜は４ａから４ｂの範囲で任意に選ぶことが出来る。座椅子等にこれを利用すると、使用者は契を左右に移動するだけで、無段階に角度が調整された椅子を得ることが出来る。
【図面の簡単な説明】
【図１】  この発明の実施の形態１を示す斜視図である。
【図２】  この発明の実施の形態１を示す斜視図である。
【図３】  角度調節部分を拡大した斜視図である。
【図４】  実施の形態１を示す角度が異なる場合の斜視図である。
【図５】  力の関係を示す図である。
【図６】  契に位置の規制をする部分の斜視図である。
【符号の説明】
１  固定部
２  傾動部
３  契
４  契の傾斜部
４ａ  契の傾斜部の下端
４ｂ  契の傾斜部の上端
４ｃ  溝の下端
４ｄ  溝の奥側
５  規制用の溝
６  座板
７  ビス
８  座のクッション
９  背のクッション
１０  下側のライナー
１１  後側のライナー
【図１】
2009160356.tif 000003
【図２】
2009160356.tif 000004
【図３】
2009160356.tif 000005
【図４】
2009160356.tif 000006
【図５】
2009160356.tif 000007
【図６】
2009160356.tif 000008
(57)【要約】【課題】鍋を使用している調理中に、はずした蓋の置き場所に困らないように鍋本体に取り付ける鍋の蓋置き器具を提供する。【解決手段】鍋の本体を挟むような形で内部と外部に足をつけ、鍋の淵をまたぐように置き、その上部に蓋を立てかける形で置くための場所を作った、鍋の蓋置き器具。【選択図】図１
2009160354.tif 000002
【特許請求の範囲】
【請求項１】
鍋の本体を挟むような形で内部と外部に足をつけ、鍋の淵をまたぐように置き、その上部に蓋を立てかける形で置くための場所を作った、鍋の蓋置き器具。
【請求項２】
蓋を置いたときの背に当たる部位に、中心を湾曲させた、横棒をつけることで、蓋を置かないときにお玉を置けるようにした請求項１の鍋の蓋置き器具
【発明の詳細な説明】
【技術分野】
【０００１】この発明は、鍋を使用しているとき、蓋の置き場所に困ることなく手近に置けるようにした、鍋の蓋置き器具に関するものである。
【背景技術】
【０００２】従来、鍋を使用して調理しているときに、はずした蓋を置く場所がなく困っていた。
蓋のつまみの部分を蓋の半径ほどある長さの握り手に取り替えて握り手を支えにして立てた状態で場所をとらないようにするものはあった。
【発明の開示】
【発明が解決しようとする課題】
【０００３】そのために、次のような問題点が生じていた。
（イ）握り手に取り替えても、やはり置く場所を探す必要があった。
（ロ）握り手に取り替えて自立させると、蓋に付いた水滴が下の部分に落ちてしまう。
（ハ）離れた場所に移動すると、蓋に付いた水滴などの落下により周囲を汚す心配があった。
本発明は、以上の問題点を解決したものである。
【課題を解決するための手段】
【０００４】鍋の本体を挟むような形で内部と外部に足をつけ、鍋の淵をまたぐように置き、その上部に蓋を立てかける形で置くための場所を作った、鍋の蓋置き器具。
【発明の効果】
【０００５】本発明は、調理中にはずした鍋の蓋を鍋の淵を利用して置くために改めて置く場所を探したり作ったりする必要もない、手近に置くため開け閉めがすぐにでき、離れた場所に移動して水滴などで周りを汚すこともない、また、蓋に使用しないときは、お玉なども置ける。
【発明を実施するための最良の形態】
【０００６】以下、本発明の実施の形態について説明をする。
（イ）  （１）の鍋の外側受け部と（２）の鍋の内側受け部を設ける。
（ロ）  （１）と（２）を（４）の支軸を（３）の支点の間に通し一体化させる、
（ハ）  （１）と（２）の重なる支軸（４）の部分に（５）のバネを付け（１）と（２）が互いに押し合う力を持たせる。
本発明は、以上の構成からなっている。
以下、使用法  について説明をする。
本発明を使用するときは、上記の一体化されたものを鍋の淵に（２）を内側に（１）を外側にする形でまたがせる、（２）のほうに蓋の内側の端の部分を置き（１）のほうに蓋の外側つまみの部分を立てかける、（２）の部分は鍋の内側に入る為、蓋の水滴などは鍋に入るので、周りを汚すこともない、蓋を置かないときはお玉置きになる、汲み上げる部分を（２）のほうに、柄の部分は（１）の窪みの部分に立てかける。
【図面の簡単な説明】
【０００７】
【図１】本発明の斜視図
【図２】本発明の分解斜視図
【図３】本発明の側面図
【図４】本発明の上面図
【図５】本発明の使用状態を示す斜視図
【図６】本発明の蓋をつけた使用状態を示す斜視図
【符号の説明】
【０００８】１、  外側受け部
２、  内側受け部
３、  支点
４、  支軸
５、  バネ
【図１】
2009160354.tif 000003
【図２】
2009160354.tif 000004
【図３】
2009160354.tif 000005
【図４】
2009160354.tif 000006
【図５】
2009160354.tif 000007
【図６】
2009160354.tif 000008
(57)【要約】【課題】運動するときにおきる様々な制限を解決するための新しい腰回し運動具を提供する。【解決手段】二枚の板に凹凸を設け、組み合わせたものであり、安価で手軽、個人に合わせて大きさ等を選べる腰回し運動具であることを特徴とする。【選択図】図１
2009160357.tif 000002
【特許請求の範囲】
【請求項１】
２枚の板をａ，ｂとする。板ａの中心部に突起をつけ、板ｂの中心部に、突起より小さな溝もしくは穴をあける。
この２枚の板ａ，ｂの突起箇所と溝もしくは穴の箇所を上下に重ね合わせる事を特徴とする運道具。
【請求項２】
請求項１を座布団、クッション及び椅子に組み込んだ運道具。
【発明の詳細な説明】
【技術分野】
【０００１】  この発明は、腰を前後、左右及び回す事を目的とした運動具に関するものである。
【背景技術】
【０００２】  数々の病気及び肥満の原因の一つが骨盤の歪みと言われており、歪みを矯正するための腰回し運動及びバランスボール等の器具を使用したエクササイズが盛んに行われている。
歪みの原因となる腰への負担を軽減する特殊な素材を使用したもの、及び姿勢を整えて骨盤の歪みを軽減するための形状をしたクッション等も市販されている。
【発明の開示】
【発明が解決しようとする課題】
【０００３】  これには、次のような欠点があった。
運動をすることは最も有効な方法であるが、毎日行うことは、かなりの覚悟が必要であり継続することが大変である。器具を使用する運動は、ある程度のスペースが必要となり又、高齢者には危険を伴う場合がある。
特殊な素材及び形状をしたクッションは、価格も高価であり予防する効果はあるが、歪みを矯正するものではないとおもわれる。
本発明は、以上のような欠点をなくすためになされたものである。
【課題を解決するための手段】
【０００４】  ２枚の板（ａ，ｂ）の板ａの中心部に半球形の突起をつけ、板ｂの中心部には、突起より小さな溝もしくは穴をあける。この２枚の板ａ，ｂの突起部と溝部を上下に重ね合わせると上面の板が不安定な状態となりこの上に座り腰を動かすと自由に動き腰の運動が可能となる。
【発明の効果】
【０００５】  上面の板に座るとバランスボールで行う腰の前後、左右運動が簡単にどこでも行うことができ、座った状態での腰回し運動も可能になる。
突起部の形状、もしくは穴の大きさを変えることにより前後、左右に傾斜する角度を使用者に最適な傾斜で製作でき、また上面の板の大きさを使用者の体形に合った大きさに製作もできる。
座布団、クッション及び椅子に組み込んだ形状にすると仕事をしたり、テレビを見たりしていながらどこででも運動をすることができ、より使い勝手がよくなる。
板を前に倒した状態で座ると良い姿勢が保たれ歪みの予防となる。
部品点数が少ないために軽量で、低価格での製作が可能である。
【発明を実施するための最良の形態】
【０００６】  以下、本発明を実施するための最良の形態について説明する。
２枚の反りのない板（ａ，ｂ）（木材を推奨）の板ａ（円形を推奨）の中心部に半球形の突起（３）をつける。板ｂの中心部（４）に突起より小さな穴をあける。この２枚の板の（３）、（４）を上下に合わせる。（３）は（ｂ）よりも硬い材質（木材を推奨）とする。接触箇所（５）の（ｂ）側に摩擦を少なくする為に樹脂で被覆または、グリス等を塗布する。上面の板（ａを推奨）の中心部に座る事により腰回し運動が可能になる。
この２枚の板を座布団及びクッションの中心部に組み込むとより使い勝手がよくなる。
【図面の簡単な説明】
【０００７】
【図１】  本発明の正面図である。
【図２】  本発明の丸型クッションに組み込んだ状態の平面図である。
【図３】  本発明の図２の正面図である。
【図４】  本発明の図３の断面図である。
【符号の説明】
【０００８】  １  板ａ
２  板ｂ
３  突起部
４  穴
５  接触箇所
６  クッション材（低反発樹脂等）
７  クッションカバー（布等）
８  丸型クッション
９  可動部
【図１】
2009160357.tif 000003
【図２】
2009160357.tif 000004
【図３】
2009160357.tif 000005
【図４】
2009160357.tif 000006
(57)【要約】【課題】          手の指関節の湾曲硬化の進行を阻止する目的で発明した手の指関節の湾曲硬化の予防用具を提供する。【解決手段】          連結管と連結管の一方に反対側へ空気を送るように設けられた逆止弁付きのポンプと、連結管の他端側に設けられた折り曲げられた指と掌の間に収まり空気により膨脹する伸縮袋と、指を延ばす任意の設定における大きさで伸縮袋の膨脹を抑える袋カバ−と、連結管に設けられ空気の移動を調整する調整弁付きの器具を設ける以上の構成を特徴とする手の指関節の湾曲硬化予防用具。【選択図】図１
2009160352.tif 000002
【特許請求の範囲】
【請求項１】
連結管と連結管の一方に反対側へ空気を送るように設けられた逆止弁付きのポンプと、連結管の他端側に折り曲げられた指と掌の間に収まるように設けられ空気の注入により膨脹する伸縮袋と、指を延ばし広げる任意の設定における大きさで伸縮袋の膨脹を抑える袋カバ−と、連結管に空気の移動を調整する調整弁付きの器具を設ける以上の構成を特徴とする手の指関節の湾曲硬化予防用具。
【発明の詳細な説明】
【技術分野】
【０００１】            手の指関節の湾曲硬化の予防と回復を目的として発明した手の指関節の湾曲硬化予防用具に関するものである。
【背景技術】
【０００２】            従来手の指関節の湾曲硬化を防ぐ事を目的に一定の膨らみと柔軟性を持った円形状の用具が製作され一般的に湾曲硬化防止医療用具として市販されていた。
【発明が解決しようとする課題】
【０００３】            前述の市販医療用具は湾曲硬化の進行前の軽度の患者には最高最適であるが湾曲硬化が既に進行している重度の患者に使用することは害が有っても益する事はない。湾曲硬化の進行を防ぐ第一の条件は手の指関節を延ばし広げる動作が必要である。これを怠っては進行を止める事はできない。市販医療用具は一定の形態があるために重度の患者が使用すると手の指関節を延ばし広げるどころか逆に押圧し、湾曲硬化を助長する結果になってしまう。本発明はこのような問題点を解決するためになされたものである。
【課題を解決するための手段】
【０００４】            連結管を選定してその連結管の一方に反対側へ空気を送るように設定された逆止弁付きのポンプを設け、その連結管の他端側に折り曲げられた指と掌の間に収まるように空気の注入により膨脹する伸縮袋を設ける。指を延ばし広げる任意の設定における大きさで伸縮袋の膨脹を抑える袋カバ−を設け、連結管に空気の移動を調整する調整弁付き器具を設ける以上の構成を特徴とする手の指関節の湾曲硬化予防用具である。
【発明の効果】
【０００５】            手の指関節の湾曲硬化の進行を本発明の予防用具を使用することにより阻止することが出来る。それはこの予防用具の特徴であるところの手の指と掌の間に収まるように設けられた伸縮袋とその膨脹を抑える伸縮袋の袋カバ−にある。伸縮袋に空気を注入そして排気、指が持ち上げられ、また元に戻る、これを繰り返すと指関節の伸縮が違和感なく行われる。即ち指に屈伸運動を行い湾曲硬化の進行を防ぐのである。
【発明を実施するための最良の形態】
【０００６】            以下本発明の実施の形態について説明します。
（イ）  連結管（１）の一方に反対側へ空気を送るように設けられた逆止弁付きのポンプ        （４）を設ける。
（ロ）  連結管（１）の他端側に折り曲げられた指と掌間に収まり空気の注入により膨脹        する伸縮袋（２）を設ける。
（ハ）  指を延ばし広げる任意の設定における大きさで伸縮袋（２）の膨脹を抑える袋カ        バ−（３）を設け、連結管（１）に設けられ空気の移動を調整する調整弁付きの        器具（６）を設ける。本発明は以上の構成から成り立っている。
これを使用するときは先ず調整弁付きの器具（６）の下部の接続部の一方を逆止弁付きのポンプ（４）に接続し同じく下部の接続部の他方を連結管（１）の一方に接続する。次に伸縮袋（２）を伸縮袋カバ−（３）の内側に挿入し、空気注入口（１０）を連結管（１）の他方に接続する。連結管（１）の他方に接続された伸縮袋カバ−（３）の内側に伸縮袋（２）が挿入された平たいものを折り曲げられた指と掌の間に入れる。次に連結管（１）の一方に接続された調整弁付きの器具（６）に設けられた排気口を閉じて接続されている逆止弁付きのポンプ（４）を握り押すと逆止弁（５）の働きで外気注入口から空気が入り、連結管（１）に接続されている伸縮袋カバ−（３）の内側にある伸縮袋（２）に空気が送られ握り押しを止めると逆止弁（５）の働きにより内部の空気圧で外気注入口へ球を押し返し空気の流通を塞ぎ止める。内部の空気は一定となり移動がない状態となる。すると同時に伸縮袋カバ−（３）により任意の設定における大きさでその内側にある伸縮袋（２）が膨らむのである。そして調整弁付きの器具（６）に設けられた排気口を開くと即座に内部の空気を排出し、同時に膨らんでいた伸縮袋（２）も空気が抜け平たくなるのである。これを繰り返すことにより指関節を伸縮させる、即ち屈伸運動の動作を行い使用する人達に違和感を与えず湾曲硬化の進行を阻止し、回復の希望を与える事が出来る。簡単な操作だから患者の左右いずれか健常な手を使って自分自身で行うことが出来る。
【図面の簡単な説明】
【０００７】
【図１】手の指間接湾曲硬化予防用具の側面図
【図２】調整弁付きの器具の側面図と一部断面図
【図３】逆止弁付きポンプの逆止弁の断面図
【符号の説明】
【０００８】              １      連結管
２      伸縮袋
３      伸縮袋の袋カバ−
４      逆止弁付きのポンプ
５      逆止弁
６      調整弁付きの器具
７      調整弁
８      調整弁送風用切れ口
９      排気口
１０      伸縮袋空気注排用パイプ
【図１】
2009160352.tif 000003
【図２】
2009160352.tif 000004
【図３】
2009160352.tif 000005
(57)【要約】      （修正有）【課題】とうもろこしを脱粒する方法として、外部より加工を施す方法ではとうもろこし粒を損傷する可能性が大きく、また、困難であった。【解決手段】とうもろこしの内部より力を加えることよって割裂き、とうもろこし片へと分割した後、とうもろこしの脱粒を行う。【選択図】図５
2009160361.tif 000002
【特許請求の範囲】
【請求項１】
とうもろこしを中心部から割ることによって、とうもろこしの脱粒を行う方法。
【発明の詳細な説明】
【技術分野】
【０００１】  本発明はとうもろこしの脱粒に関する。
【背景技術】
【０００２】  従来の方法ではとうもろこし粒を芯から取外す（脱粒する）為に、とうもろこしの外部から加工を施していた。これではとうもろこし粒を傷つける可能性が高い。（例えば特許文献１、特許文献２）【０００３】
【特許文献１】特許公開２００４−２７５２４４
【特許文献２】特許公開２００７−０６８９３７
【発明の開示】
【発明が解決しようとする課題】
【０００４】  従来の方法ではとうもろこし粒を傷つける可能性が高く、特に調理前に粒根元をカッター等により切断する方法では、調理時にとうもろこし粒が余計な水分を吸収してしまい、歯応えの無い食感となってしまっていた。【０００５】  本発明は、先ずとうもろこしを中心部から割裂くことによって、従来の問題を解決しようとする物である。割裂かれたとうもろこし片からはとうもろこし粒を容易に取り外すことが可能である。
【課題を解決するための手段】
【０００６】  本発明はとうもろこしの構造を理解し、その特性を生かした方法でとうもろこしを割裂き、とうもろこしの脱粒を行うものである。とうもろこしの構造は、その中心に柔軟な部位（２）を有するパイプ状の芯（３）と、そのパイプ状の芯に各とうもろこし粒（１）が結合していることによって成り立つ。【０００７】  パイプ状の芯（３）は長手方向の裂け目（４）が入り易い性質を有している。中心の柔軟な部位（２）にくさび型器具（６）や梃子型器具（７）等を挿入し、押し開くことによってパイプ状の芯（３）を割裂く。この長手方向の裂け目（４）は各とうもろこし粒（１）の長手方向列の間に存在するので、この部位を裂いていく。また、とうもろこしは円周方向列の間にも円周方向の裂け目（５）が入りやすい性質を有しており、長手方向に適当な長さ裂けた後、円周方向の裂け目（５）で裂けて、とうもろこし片（１１）となる。【０００８】  脱粒工程の例を図５に示す。適当な位置に裂け目Ａ（９）と裂け目Ｂ（１０）を入れ、とうもろこし片（１１）へと分割する。脱粒されるとうもろこし粒（８）は、円周方向の力（１２）を掛けることにより、分割されたパイプ状の芯（１３）より簡単に取り外すことができる。割裂かれた部位の直近の列よりとうもろこし粒を取り外すことにより、順次次の列のとうもろこし粒を離脱させられる。
【発明の効果】
【０００９】  この方法による離脱では、とうもろこし粒の損傷、特に根元の損傷が著しく少なく、脱粒後の調理、蒸す、焼くを行なう場合、余分な水分が粒内部に浸入することは無く、とうもろこし本来が持つ食感、味を維持できる。【００１０】  とうもろこし片（１１）からとうもろこし粒（８）を離脱させる作業は、例えばエアパッキンをプチプチと潰していくような、娯楽に似た感覚を提供してくれる。小さな子供でも楽しんで行なえる作業である。これは調理前のとうもろこしからとうもろこし粒を離脱させる際に顕著である。
【発明を実施するための最良の形態】
【００１１】  本発明を実施するための形態として、くさびの原理、梃子の原理を応用した物が考えられる。その例を図３、図４に示す。
【図面の簡単な説明】
【００１２】
【図１】とうもろこしの構造
【図２】断面の拡大図（裂目の入る部位）
【図３】割り裂き器具例１．くさび型
【図４】割り裂き器具例２．梃子応用型
【図５】本発明によるとうもろこし脱粒手順例  （１）とうもろこし粒  （２）柔軟な部位  （３）パイプ状の芯  （４）長手方向の裂目  （５）円周方向の裂目  （６）くさび型器具  （７）梃子型器具  （８）脱粒されるとうもろこし粒  （９）裂け目Ａ  （１０）裂け目Ｂ  （１１）とうもろこし片  （１２）円周方向の力  （１３）分割されたパイプ状の芯
【図１】
2009160361.tif 000003
【図２】
2009160361.tif 000004
【図３】
2009160361.tif 000005
【図４】
2009160361.tif 000006
【図５】
2009160361.tif 000007
(57)【要約】      （修正有）【課題】従来のロールペーパーとペーパーホルダーでは力の弱い老人・体の不自由な人・怪我人・病人・子供等には使いにくく片手では思う様に使えないので、トイレ使用時、簡単で楽に汚れ落としや水分取りが片手でできるペーパーホルダー物のせ台の提供。【解決手段】使い易い大きさのトイレットペーパーを複数枚バラバラにならない様まとめた物、テイッシュペーパー式にした物をボックスに納めた物を今使っているホルダー上部のカバー付根のすき間に安定板１を差し込むだけで物を乗せる台２ができ、テイッシュ式トイレットペーパーボックスをセットすると安定して、トイレットぺーパーが片手で指２本で使える。老人でも取り付け、取り外しが簡単で、ホルダーやトイレ壁に穴をあけたり接着剤を使ったり加工する事は全くなく、又物のせ台２を取り外した後は従来使っていた様にロールペーパーが使える。【選択図】図２
2009160362.tif 000002
【特許請求の範囲】
【請求項１】
取り付けてあるロ−ルペ−パ−ホルダー、上部カバーの付根のすき間に本体の安定板１を差し込むだけでペーパーホルダーの上に物を置ける所ができ、本体の物のせ部２に物をのせて押さえ板３で安定させるペーパーホルダー物のせ台
【発明の詳細な説明】
【技術分野】
【０００１】トイレットペーパーホルダー
【背景技術】
【０００２】従来のロールペーパーとペーパーホルダーでは力の弱い老人・体の不自由な人・怪我人・病人・子供等には使いにくく片手では思う様に使えませんでした。【０００３】思う様にできなくて使いすぎ等の無駄が多かった。【０００４】
【特許文献１】名称  テイッシュペーパー式トイレットペーパーボックス  特許出願番号  ２００７−１８６２９２
【特許文献２】名称  テイッシュ式トイレットペーパーボックス  特許出願番号  ２００７−２６２７１６
【０００５】
【非特許文献１】２００７−東京発明展  １０月２５・２６日  参考出品一般公開
【発明の開示】
【発明が解決しようとする課題】
【０００６】
【０００７】テイッシュ式に納めたトイレットペーパーボックスを、今使っているロールペーパーホルダーの上に取り付け安定して使えないか、又他の物も置ける台がほしい。【０００８】老人でも簡単に取り付け、取り外しができるもの。【０００９】ペーパーホルダーへの加工は全くしないでできないか。【００１０】トイレットペーパーを全く無駄なく使えないか。【００１１】老人でも使い易く片手でも指２本でも使えないか。
【発明が解決するための手段】
【００１２】今使っているペーパーホルダーの上部カバーの付根のすき間に安定板１を差し込むだけで物のせ部２ができトイレットペーパーボックスを置いた時押さえ板３により半固定され安定して使用できる
【００１３】ペーパーホルダーに取り付けた時、物のせ台が前に下がりすぎる場合は一旦はずして新しいロールペーパーをホルダーに入れてからもう一度物のせ台を取り付けると使い易い状態になります。
【発明の効果】
【００１４】物のせ台をペーパーホルダーの上に老人でも簡単に取り付け、取り外しができてトイレットペーパーボックスが使い易くなります。
【００１５】今使っているホルダーを外すことなく、壁に穴あけ・接着剤・ビス・釘等は全くしないで、又ホルダーには全く加工することなく、物のせ台を外した後はいままでどうりロールペーパーが使えます。
【００１６】老人にも簡単にトイレットペーパーボックスが使えて、テイッシュペーパーよりもロールペーパーよりも使い易く、トイレットペーパーの無駄が全くなくなりとても経済的です。
【図面の簡単な説明】
【図１】斜面図  １−安定板  ２−物のせ台  ３−押さえ板
【図２】取り付け使用時側面断面図
【図１】
2009160362.tif 000003
【図２】
2009160362.tif 000004
(57)【要約】      （修正有）【課題】通常熱水タンクはステンレス製の密閉タンクにヒーターを内蔵もしくは外部装着したものが使われる。溶接もしくはネジ止めしたような密閉構造のため、内部のメンテナンスは手間がかかり難しく、消費者からは簡単に洗浄のできる構造が要求された。【解決手段】そこで、密閉型のタンク構造を開放型の熱水ポットの構造に変更した。１Ｌ程度の電気温水ポットを飲水器に組み込むようなしくみである。ただし、通常の魔法瓶などでは使用後に水の補給をする必要があり面倒くさかった。そのため飲水器にポットの水位を確認するセンサーと電磁弁などを装着し、お湯を使うとその後自動的に水を補給できるようにした。【選択図】図１
2009160286.tif 000002
【特許請求の範囲】
【請求項１】
自動給水式熱水ポットを内蔵した飲水器 
【発明の詳細な説明】
【技術分野】
【０００１】
本発明は一般の飲水器に関するものである。 
【背景技術】
【０００２】
近年、飲料水への関心が高まり、機能水や天然水のマーケットが拡大している。それにともなって、手軽に熱水、冷水が飲める飲水器の需要も拡大している。 
【発明の開示】
【発明が解決しようとする課題】
【０００３】
飲水器は中国などの水道水が直接飲めない国々を中心に発達してきた家庭電気製品である。従って、当初はそれほど衛生面に配慮した製品でもなかった。しかし、日本や欧米各国にも普及し始めると、消費者からは衛生面での高度化要求が増え始めた。通常熱水タンクはステンレス製の密閉タンクにヒーターを内蔵もしくは外部装着したものが使われる。溶接もしくはネジ止めしたような密閉構造のため、内部のメンテナンスは手間がかかり難しく、消費者からは簡単に洗浄のできる構造が要求された。 
【課題を解決するための手段】
【０００４】
そこで、密閉型のタンク構造を開放型の熱水ポットの構造に変更した。１Ｌ程度の電気温水ポットを飲水器に組み込むようなしくみである。ただし、通常の魔法瓶などでは使用後に水の補給をする必要があり面倒くさかった。そのため飲水器にポットの水位を確認するセンサーと電磁弁などを装着し、お湯を使うとその後自動的に水を補給できるようにした。当然幼児などが簡単に取りはずせない構造になっている。
【発明の効果】
【０００５】
温水タンクが簡単に脱着できるので、簡単に内部洗浄ができるし、万一壊れた場合も簡単に交換できるようになった。また、真空断熱ポットなどを使うことで、省エネ性能も高めることができるようになった。その他、複数のカップに注ぐ場合などは、カップのある場所に持ち運べるので、固定された飲水器よりも便利性が高まった。
【産業上の利用可能性】
【０００６】
飲水器はまだまだこれから普及の見込める家庭電気製品であり、衛生面での懸念が払拭されれば、先進国でも普及する可能性は大きい。こうした技術を組み込むことで、従来敬遠していた消費者に市場が拡がれば、産業上のメリットもかなり大きいものと思われる。
【図面の簡単な説明】
【０００７】
【図１】全体の構成図である。
【符号の説明】
【０００８】
１）飲用水容器または浄水容器など
２）飲水器本体
２）冷水用蛇口
３）取り外し可能な熱水ポット
【図１】
2009160286.tif 000003
(57)【要約】【課題】トイレでの便秘による大便の排出の苦労を、適度に背もたれを傾倒する事により便通を良くする事を補助する便器を提供する事にある。【解決手段】既存の椅子にある後部傾倒のリクライニングを活用して、程よい程度まで傾倒する背もたれを、背筋が伸びるほどに傾倒、及び背当てを設置、又、安心してよしかかる事の出来る構造とし、リラックス感のある大便の通じを良くする事を主とした、背もたれ傾倒の付いた便器である。【選択図】図１
2009160201.tif 000002
【特許請求の範囲】
【請求項１】
既存の椅子にあるリクライニングを活用して、洋式トイレの便器に背もたれをもうける事によりリラックス感を得られるが、背もたれに背筋を伸ばす角度と、背当てを調整する事により、背筋が伸び大便の通りも良くなり便秘解消補助となる、背もたれ傾倒の便器を提供する。
【発明の詳細な説明】
【技術分野】
【０００１】本発明は便器に、リラックス感と、便秘解消を補助するリクライニング方式の背もたれを設ける事により快便となる、背もたれ傾倒の便器を目的とした。
【背景技術】
【０００２】通常のトイレは便の排出が目的であるが、背もたれを配置して、リラック感を提供。
【特許文献１】  特願  平７−３２４        特開  平８−１８７２０５
【特許文献２】  特願  平３−３００３３１  特開  平５−１３７６７０
【発明の開示】
【発明が解決しようとする課題】
【０００３】特開平５−１３７６７０及び特開平８−１８７２０５の便器では、リラックスする事は出来ても快便を促すには不十分であった。
【課題を解決するための手段】
【０００４】本発明は、背筋を伸ばした状態で、便器の背もたれを程よく後部に傾倒し、直腸から肛門への流通を良くすることによって、大便の排出効果がでる。
【発明の効果】
【０００５】従来の状態に比べると、背もたれ傾倒により、寄り良い体勢を確認でき、大便の通じが良くなる効果を提供できる。
【発明を実施するための最良の形態】
【０００６】背筋を伸ばした形で、人それぞれの最良の傾斜角を、後部傾倒の形式と背あてにより、個人それぞれの最良の状態を選ぶ。
【実施例１】
【０００７】背もたれ３を、自分にあった角度まで１０で調節して倒し、背筋を伸ばすため１１を操作し腰の上部の自分にあった位置に決め、便通の良い位置を画策し、便秘の苦しみを少しでも楽に出来る体勢を調整する。
【産業上の利用可能性】
【０００８】背筋を伸ばした背もたれを傾倒する事により、便秘気味の人の排泄が楽になり、やすらぎと安心感を備えることが出来る。
【図面の簡単な説明】
【０００９】
【図１】本発明の、構造を示した側面図である。
【図２】構造を示した見取り図である。
【図３】構造を示した正面図である。
【符号の説明】
【００１０】１、便器    ２、便座    ３、背もたれ
１０、リクライニングデバイス    １１、腰の上位部あて移動レバー
【図１】
2009160201.tif 000003
【図２】
2009160201.tif 000004
【図３】
2009160201.tif 000005
(57)【要約】【課題】自動車に乗車する場合、傘をたたんでから乗車しなければならない。雨天時の場合、頭や服装が雨により濡れてしまう。このような欠点を解消する自動車専用傘を提供する。【解決手段】傘の手元（４）下部に引き下げ取手（７）を設け、下ロクロ（８）を取手（７）により引き下げることにより、乗車後半開き自動車ドアーより高い位置において、傘がたためることを特徴とする。【選択図】図１
2009160416.tif 000002
【特許請求の範囲】
【請求項１】
現在、使用されているワンタッチ開き傘の手元（４）に取手（７）を設け、取手（７）の部分を引くことにより、自動車に乗車後、半開き自動車ドアーより高い位置で傘をたたむことが可能な自動車専用傘。
（イ）傘の中棒（３）に挿入できる取手（７）の付いた内中棒（５）を作成する。
（ロ）下ロクロ（８）を下げるために、内中棒（５）の先端に内中棒ハジキ（１２）を取り付ける。
（ハ）内中棒（５）の先端に取り付けた内中棒ハジキ（１２）が移動できるように、中棒（３）に溝を切る。
（二）下ハジキ（９）が内中棒（５）の移動を妨げるため、内中棒（５）に溝を切る。
（ホ）挿入した取手（７）が手元（４）と離れないように、取手ハジキ（６）を設ける。
本発明は、以上のような構造である。
これを使用する場合は、取手玉留（１３）を押さえて取手（７）を引き下げることにより、傘をたたむことができる。
【発明の詳細な説明】
【技術分野】
【０００１】  この発明は、傘の手元下部に取手を設け、取手の部分を引き下げることにより、たためる傘である。
【背景技術】
【０００２】  従来は、自動車に乗車して傘をたたむ場合、ドアーが邪魔になり座ったままではドアーより低い位置において傘をたたむことは困難であった。
【発明の開示】
【発明が解決しようとする課題】
【０００３】  これには次のような欠点があった。
自動車に乗車する場合、傘をたたんでから乗車しなければならない。雨天時の場合、頭や服装が雨により濡れてしまう。このような欠点を解消するために考案したものである。
【課題を解決する手段】
【０００４】  傘の手元（４）下部に引き下げ取手（７）を設け、下ロクロ（８）を取手（７）により引き下げ、乗車後半開き自動車ドアーより高い位置で傘をたたむことが可能である。
【発明の効果】
【０００５】    雨傘・日傘の使用目的は、雨や日光を遮るために考案されたものである。
しかしながら、自動車の乗車には傘をたたんでからでないと乗車できない。
手元の位置から傘をたたむことにより、乗車姿勢で半開きの自動車ドアーより高い位置でたたむことができ、本来の使用目的を達成することができる。
なお、使用方法については、自動車の乗車後たためる収納方法の発見であるため、基本的には従来の方法と同様であり、使用するのに何ら差し障りない。
【発明を実施するための最良の形態】
【０００６】  （イ）傘の中棒（３）に挿入できる取手（７）の付いた内中棒（５）を作成する。
（ロ）下ロクロ（８）を下げるために、内中棒（５）の先端に内中棒ハジキ（１２）を取り付ける。
（ハ）内中棒（５）の先端に取り付けた内中棒ハジキ（１２）が移動できるように、中棒（３）に溝を切る。
（ニ）下ハジキ（９）が内中棒（５）の移動を妨げるため、内中棒（５）に溝を切る。
（ホ）挿入した取手（７）が手元（４）と離れないように、取手ハジキ（６）を設ける。
本発明は、以上のような構造である。
これを使用する場合は、取手玉留（１３）を押さえて取手（７）を引き下げることにより、傘をたたむことができる。
【図面の簡単な説明】
【０００７】
【図１】全体の斜視図
【図２】手元と取手の収納装置の側面図
【図３】下ロクロと内中棒ハジキの側面図
【図４】中棒の溝切範囲の側面図
【図５】内中棒の溝切範囲の側面図
【符号の説明】
【０００８】  １  受骨
２  小骨
３  中棒
４  手元
５  内中棒
６  取手ハジキ
７  取手
８  下ロクロ
９  下ハジキ
１０  スプリング
１１  溝
１２  内中棒ハジキ
１３  玉留
【図１】
2009160416.tif 000003
【図２】
2009160416.tif 000004
【図３】
2009160416.tif 000005
【図４】
2009160416.tif 000006
【図５】
2009160416.tif 000007
(57)【要約】【課題】  本発明は、答え合わせを簡単にした教材である。今までは、見本解答から答えを探し出して、自分の出した答えを見比べて答え合わせをしていたが、時間がかかるし面倒であった。そこで、答え合わせを簡単にできるようにした教材を提供する。【解決手段】  見本解答である答えシートの答えと、自分の出した答え（透明板）が重なるようにする。【選択図】図１
2009053642.tif 000002
【特許請求の範囲】
【請求項１】
自分の選んだ透明な板の答えと、見本解答である答えシートの答えを重ね合わせて、答え合わせをする教材。
【発明の詳細な説明】
【技術分野】
【０００１】  本発明品は、答え合わせを簡単にした教材に関するものである。
【背景技術】
【０００２】  従来は、見本解答のページから答えを探して、自分の出した答えと見比べて、答え合わせをしていた。
【発明の開示】
【発明が解決しようとする課題】
【０００３】  従来のものは、見木解答のページから答えを探して、自分の出した答えと見比べて答え合わせをしていたので、面倒で時間がかかっていた。
本発明品は、以上の問題を解決し、答え合わせを簡単にしたものである。
【課題を解決するための手段】
【０００４】  自分の選んだ答え（透明な板）と、見本解答である答えシートとを重ね合わせることで、正しいか正しくないかを確かめることができるようにする。本発明は、以上の事により、答え合わせが簡単になる教材である。
【発明の効果】
【０００５】  見本解答と自分の答えを重ね合わせるだけで、正しいか正しくないかが、一目瞭然でわかる。
【発明を実施するための最良の形態】
【０００６】  本発明品の使用方法は、以下のようにする。
（イ）本体（１）の中央部には透明な板があり、その後部に答えシート（２）と目隠しシ      ート（３）を設置する。答えシート（２）には問題と答えが書いてあり、答えシー      ト（２）の前に目隠しシート（３）を設置すると、問題のみが見えるようになる。
（［図２］参照）
（ロ）次に、答えの書いてある透明板（４）の中から、問題に合う透明板を選び出す。
（ハ）（ロ）で選び出した透明板（４）を本体の前部にはめ込む。（［図３］参照）
（ニ）最後に、自分の選んだ答えが合っているか確かめるために、目隠しシート（３）を      はずす。答えが合っていれば、答えシート（２）の答えと透明板の答えがぴったり      重なる。（［図４］参照。［図４］は、透明板（４）を３枚だけはめ込んであり、      その３つの答えが重なっている。）
【図面の簡単な説明】
【０００７】
【図１】  本発明のすべての斜視図
【図２】  本体に、答えシートと目隠しシートを設置した図
【図３】  図２に、透明板を本体の前部に設置した図
【図４】  図３から、目隠しシートを取り出した図
【符号の説明】
【０００８】（１）本体
（２）答えシート
（３）目隠しシート
（４）透明板
【図１】
2009053642.tif 000003
【図２】
2009053642.tif 000004
【図３】
2009053642.tif 000005
【図４】
2009053642.tif 000006